(57)【要約】【課題】帯状シートのロールを脱落不能に支持するロール支持装置及び方法と、これを備えたラベル貼付装置を提供すること。【解決手段】剥離シートＲＬにラベルＬが仮着された帯状シートＳのロールＲを支持する軸部材１５と、当該軸部材１５を片持ち姿勢で支持する支持手段１６とを含むラベル支持装置１１と、前記剥離シートＲＬからラベルを剥離して被着体Ｗに貼付するラベル貼付手段１２とによりラベル貼付装置１０が構成されている。軸部材１５は、先端側が基端側に対して上方位置となる傾斜姿勢に角度変位可能に設けられ、当該軸部材１５の先端側にロールＲの脱落を防止する部材を省略できるようになっている。【選択図】図１
2008189432.tif 000002
【特許請求の範囲】
【請求項１】
帯状シートのロール中央に挿通される軸部材又は帯状シートをロール状に巻き取る軸部材と、当該軸部材を片持ち姿勢で支持する支持手段とを備え、
前記軸部材は、その軸線が傾斜可能に設けられていることを特徴とするロール支持装置。
【請求項２】
前記軸部材は、先端側が基端側に対して垂直方向上方位置となる傾斜姿勢で前記帯状シートを繰出又は巻取可能に支持することを特徴とする請求項１記載のロール支持装置。
【請求項３】
前記軸部材の基端側に、前記ロールの巻き崩れ防止手段が設けられていることを特徴とする請求項１又は２記載のロール支持装置。
【請求項４】
前記軸部材は、その軸径が拡大縮小可能に設けられていることを特徴とする請求項１、２又は３記載のロール支持装置。
【請求項５】
帯状シートのロール中央に、片持ち姿勢で支持された軸部材を挿通して前記ロールを繰出可能に支持するロール支持方法において、
前記軸部材を略水平姿勢に保って前記ロール中央に軸部材を挿通する一方、前記軸部材の先端側が基端側に対して垂直方向上方位置となる傾斜姿勢として前記帯状シートを繰出可能としたことを特徴とするロール支持方法。
【請求項６】
帯状シートの一端を、片持ち姿勢で支持された軸部材に固定し、当該軸部材の回転によって前記帯状シートをロール状に巻き取るロール支持方法において、
前記軸部材の先端側が基端側に対して垂直方向上方位置となる傾斜姿勢として前記帯状シートを巻き取る一方、前記軸部材を略水平姿勢にして巻き取られたロールを前記軸部材から取り外し可能に設けたことを特徴とするロール支持方法。
【請求項７】
前記帯状シートの繰り出し又は巻き取りは、前記軸部材の基端側で巻き崩れを防止しながら行われることを特徴とする請求項５又は６記載のロール支持方法。
【請求項８】
前記軸部材に対する前記帯状シートの繰出方向下流側又は巻取方向上流側に、前記帯状シートに弛みを付与するバッファ領域を設けて帯状シートの捻れを補正するように支持することを特徴とする請求項５、６又は７記載のロール支持方法。
【請求項９】
前記帯状シートの繰出方向下流側の所定位置又は巻取方向上流側の所定位置に対して前記軸部材を離間接近させることで、前記バッファ領域における帯状シートの弛み形状を維持することを特徴とする請求項８記載のロール支持方法。
【請求項１０】
剥離シートの一方の面にラベルが仮着された帯状シートを巻回したロールを支持するロール支持装置と、前記ロールを繰り出す過程で前記ラベルを剥離シートから剥離して被着体に貼付する貼付手段と、前記帯状シートに繰出力を付与する駆動手段とを備えたラベル貼付装置において、
前記ロール支持装置は、前記ロールの中央に挿通される軸部材と、当該軸部材を片持ち姿勢で支持する支持手段とを備え、
前記軸部材は、その軸線が傾斜可能に設けられているとともに、先端側が基端側よりも垂直方向上方位置となる傾斜姿勢で前記帯状シートの繰り出し及び／又は巻き取りを許容することを特徴とするラベル貼付装置。
【請求項１１】
前記軸部材の基端側に、前記ロールの巻き崩れ防止手段が設けられていることを特徴とする請求項１０記載のラベル貼付装置。
【請求項１２】
前記軸部材は、その軸径が拡大縮小可能に設けられていることを特徴とする請求項１０又は１１記載のラベル貼付装置。
【請求項１３】
前記軸部材と前記貼付手段との間に、前記ロールから繰り出される帯状シートの導入部が設けられ、前記軸部材は、前記ロールの直径に応じて前記導入部に対して離間接近可能に設けられていることを特徴とする請求項１０、１１又は１２記載のラベル貼付装置。
【請求項１４】
前記ロールから繰り出される帯状シートの捻れを補正する捻れ補正手段を更に含むことを特徴とする請求項１０ないし１３の何れかに記載のラベル貼付装置。
【発明の詳細な説明】
【技術分野】
【０００１】
本発明はロール支持装置及び支持方法並びにラベル貼付装置に係り、更に詳しくは、ロールの巻き崩れを防止した状態で、帯状シートの繰り出しや巻き取りを行うことのできるロール支持装置及び支持方法と、前記ロールの着脱作業を容易且つ迅速に行うことのできるラベル貼付装置に関する。
【背景技術】
【０００２】
公知のラベル貼付装置は、剥離シートの一方の面にラベルが仮着された帯状シートをロール状に巻回して支持するロール支持装置と、前記剥離シートからラベルを剥離して被着体に貼付するラベル貼付手段とを備えて構成されている（例えば、特許文献１参照）。ここで、ロール支持装置は、ロール状の帯状シートの中心部に挿通される軸部材と、当該帯状シートの巻き崩れを防止するための押さえ板とを備えた構成が採用されている。
【０００３】
【特許文献１】特開２００５−２８０８２０号公報
【発明の開示】
【発明が解決しようとする課題】
【０００４】
しかしながら、特許文献１に記載されたロール支持装置は、ロールの巻き崩れを防止する押さえ板を必須の構成とするものであり、従って、ロール支持装置の部品点数が多くなるばかりでなく、ロールの着脱作業に際しては、押さえ板の着脱作業が不可避になり、作業性も悪い、という不都合がある。
また、ロールから繰り出された帯状シートを掛け回すローラ等の導入部と前記軸部材との相互離間距離が一定であるため、軸部材に装着し得るロールの直径に制約があり、汎用性にも乏しい、という不都合がある。
【０００５】
［発明の目的］
本発明は、このような不都合に着目して案出されたものであり、その目的は、簡易な構成によって、帯状シートのロール巻き崩れを防止することができるとともに、帯状シートをロール状に巻き取ることにも適合したロール支持装置、支持方法及びラベル貼付装置を提供することにある。
【０００６】
また、本発明の他の目的は、ロールの直径に応じて前記軸部材の位置を変位させて種々の直径を有するロールに対応可能なロール支持装置、支持方法及びラベル貼付装置を提供することにある。
【課題を解決するための手段】
【０００７】
前記目的を達成するため、本発明に係るロール支持装置は、帯状シートのロール中央に挿通される軸部材又は帯状シートをロール状に巻き取る軸部材と、当該軸部材を片持ち姿勢で支持する支持手段とを備え、
前記軸部材は、その軸線が傾斜可能に設けられる、という構成を採っている。
【０００８】
前記ロール支持装置において、前記軸部材は、先端側が基端側に対して垂直方向上方位置となる傾斜姿勢で前記帯状シートを繰出又は巻取可能に支持する、という構成を採っている。
【０００９】
また、前記軸部材の基端側に、前記ロールの巻き崩れ防止手段が設けられている。
【００１０】
更に、前記軸部材は、その軸径が拡大縮小可能に設けることが好ましい。
【００１１】
また、本発明に係るロール支持方法は、帯状シートのロール中央に、片持ち姿勢で支持された軸部材を挿通して前記ロールを繰出可能に支持するロール支持方法において、
前記軸部材を略水平姿勢に保って前記ロール中央に軸部材を挿通する一方、前記軸部材の先端側が基端側に対して垂直方向上方位置となる傾斜姿勢として前記帯状シートを繰出可能に設ける、という方法を採っている。
【００１２】
更に、本発明に係るロール支持方法は、帯状シートの一端を、片持ち姿勢で支持された軸部材に固定し、当該軸部材の回転によって前記帯状シートをロール状に巻き取るロール支持方法において、
前記軸部材の先端側が基端側に対して垂直方向上方位置となる傾斜姿勢として前記帯状シートを巻き取る一方、前記軸部材を略水平姿勢にして巻き取られたロールを前記軸部材から取り外し可能に設ける、という手法も採用することができる。
【００１３】
また、前記方法において、前記帯状シートの繰り出し又は巻き取りは、前記軸部材の基端側で巻き崩れを防止しながら行われる、という手法を採っている。
【００１４】
更に、前記方法において、前記軸部材に対する前記帯状シートの繰出方向下流側又は巻取方向上流側に、前記帯状シートに弛みを付与するバッファ領域を設けて帯状シートの捻れを補正するように支持することが好ましい。
【００１５】
また、前記帯状シートの繰出方向下流側の所定位置又は巻取方向上流側の所定位置に対して前記軸部材を離間接近させることで、前記バッファ領域における帯状シートの弛み形状を維持する手法も採用することができる。
【００１６】
また、本発明は、剥離シートの一方の面にラベルが仮着された帯状シートを巻回したロールを支持するロール支持装置と、前記ロールを繰り出す過程で前記ラベルを剥離シートから剥離して被着体に貼付する貼付手段と、前記帯状シートに繰出力を付与する駆動手段とを備えたラベル貼付装置において、
前記ロール支持装置は、前記ロールの中央に挿通される軸部材と、当該軸部材を片持ち姿勢で支持する支持手段とを備え、
前記軸部材は、その軸線が傾斜可能に設けられているとともに、先端側が基端側よりも垂直方向上方位置となる傾斜姿勢で前記帯状シートの繰り出し及び／又は巻き取りを許容する、という構成を採っている。
【００１７】
前記ラベル貼付装置において、前記軸部材の基端側に、前記ロールの巻き崩れ防止手段が設けられる、という構成を採ることができる。
【００１８】
また、前記ラベル貼付装置における前記軸部材は、その軸径が拡大縮小可能に設けられていることが好ましい。
【００１９】
更に、前記ラベル貼付装置において、前記軸部材と前記貼付手段との間に、前記ロールから繰り出される帯状シートの導入部が設けられ、前記軸部材は、前記ロールの直径に応じて前記導入部に対して離間接近可能に設けられている。
【００２０】
また、前記ラベル貼付相違は、前記ロールから繰り出される帯状シートの捻れを補正する捻れ補正手段を更に含む構成を採用することができる。
【発明の効果】
【００２１】
本発明によれば、軸部材の軸線が傾斜可能に設けられているため、帯状シートのロールを支持したときに、軸部材の先端側が基端側よりも上方となってロールを傾斜姿勢に保つことができ、ロールの押さえ部材を設けなくても、巻き崩れてしてしまうような不都合は生じない。従って、ロールを支持する構成部品の削減を達成することができる。しかも、押さえ部材を必要としないことで、例えば、軸部材の長さよりも幅の広いロールであっても、これに対応可能な汎用性を付与することもできる。
【００２２】
また、前記ロールの巻き崩れ防止手段を設けた構成では、例えば、円板を用いれば、ロールを傾斜姿勢としたときに、当該円板がロールの傾斜下方の持面として作用することとなり、当該ロールの巻き崩れ防止又はロールの端揃えを行うことができる。
【００２３】
更に、軸部材の軸径が拡大縮小可能であれば、ロールの中央に位置する紙管の内側に軸部材を固定することができ、当該軸部材を回転駆動させてロールの繰出や巻取を確実に行うことができる。
【００２４】
また、前記軸部材が帯状シートの導入部に対して離間接近可能に設けられたラベル貼付装置においては、ロールの直径が大きなものを対象としても、軸部材を前記導入部から離れた位置に設定することで、相互干渉を回避することができる。
【００２５】
更に、前記帯状シートの捻れを補正する捻れ補正手段を備えた構成によれば、繰り出しの途中で捻れが補正されるようになり、傾斜姿勢でロールを支持して繰り出しを行う構成又は帯状シートを巻き取る構成としても、何ら不都合を生じない。
【発明を実施するための最良の形態】
【００２６】
以下、本発明の実施の形態について図面を参照しながら説明する。
【００２７】
図１には、本実施形態に係るロール支持装置を備えたラベル貼付装置の概略正面図が示され、図２には、その概略斜視図が示されている。これらの図において、ラベル貼付装置１０は、略鉛直面内に位置する板状をなすフレームＦと、当該フレームＦの図１中右側及びこれより突出する位置に設けられたロール支持装置１１と、フレームＦに支持されたラベル貼付手段１２と、フレームＦの面内に配置された駆動手段１３及び巻取手段１４とを備えて構成されている。
【００２８】
前記ロール支持装置１１は、ロールＲの中央に位置する紙管Ｐ（図３参照）内に挿通される軸部材１５と、当該軸部材１５を片持ち姿勢で支持する支持手段１６とを備えて構成されている。ここで、ロールＲは、剥離シートＲＬの一方の面にラベルＬが所定間隔毎に仮着された帯状シートＳを巻回したものが対象とされている。また、剥離シートの一方の面に、帯状のラベル基材を仮着した帯状シートを巻回したロールを対象とし、これを繰り出す過程でダイカット装置を介してラベルを形成するようにしてもよい。
【００２９】
前記軸部材１５は、図３及び図４に示されるように、軸本体１７と、当該軸本体１７の外周側に配置された一対のカラー１８と、軸本体１７の先端側に装着されたナット部材１９とを含む。軸本体１７は、基端側（図３中左端側）がカップリング２０を介してモータＭ１の出力軸２１に連結されており、当該カップリング２０の近傍における軸本体１７の外周側にはフランジ部２３が形成されている。フランジ部２３の図３中右側面は、右側に向かうに従って縮径化するテーパ面２４とされている。この一方、軸本体１７の先端側には、前記ナット部材１９に形成された雌ねじ２５にねじ係合する雄ねじ２６が形成され、これにより、ナット部材１９は、回転することによって軸本体１７の軸線方向に沿って進退可能に設けられている。ナット部材１９の図３中左端側は、前記テーパ面２４と略対称形状となるテーパ面２７が形成されている。また、前記フランジ部２３の図３中左側には、ロールＲの挿通限を決定する円板２８が取り付けられており、当該円板２８がロールを傾斜下方から支持して、巻き崩れを防止する手段として作用するようになっている。
【００３０】
前記カラー１８は、前記軸本体１７の直径よりも大きい内径を備えた円筒を軸方向に複数分割、本実施形態では、二分割したものにより構成されている。これらカラー１８の両端近傍の各外周には、周方向に溝３０が形成され、当該溝３０に、コイルばね等からなる閉ループ状の締付具３１が巻装されている。カラー１８の両端は、前記テーパ面２４、２７にそれぞれ対応するテーパ面３３、３４として形成されており、これらテーパ面３３、３４は、前記締付具３１の締付力により、前記フランジ部２３及びナット部材１９のテーパ面２４、２７にそれぞれ圧接するようになっている。従って、前記ナット部材１９の装着位置を前進させたとき、すなわちねじ込み量を深くしたときに、カラー１８は前記締付具３１の締付力に抗じ外径が拡大する方向に変位する一方、ナット部材１９の装着位置を後退させたときに、カラー１８は前記締付具３１の締付力によって外径が縮小する方向に変位することとなり、これにより、前記ロールＲを着脱することができる。
【００３１】
前記軸部材１５を片持ち姿勢で支持する支持手段１６は、図３に示されるように、前記フランジ部２３の左近傍でベアリング３７を介して軸部材１５を回転可能に支持するプレート３８と、このプレート３８の下部左側面に取り付けられるとともに、シャフト４３を固定するホルダ４１と、シャフト４３を軸方向（図１中左右方向）に進退可能に支持する直動モータ等からなるスライド機構４４と、前記フレームＦの図１中後面側に固定されるとともに、前記スライド機構４４と共にシャフト４３を周方向に回転させ、前記軸部材１５の軸線を変位可能に支持するモータ等からなる角度変位手段４６とを備えて構成されている。
【００３２】
前記ラベル貼付手段１２は、前記フレームＦに支持されたピールプレート４８と、このピールプレート４８の先端側に、図示しない支持アーム等を介して回転可能に支持されたプレスローラ５０とからなる。ピールプレート４８は、その先端側で前記帯状シートＳを急激に反転させることで前記ラベルＬを剥離シートＲＬから剥離できるようになっており、当該剥離されたラベルＬは、その下方に位置する搬送装置５１上で搬送される被着体Ｗにプレスローラ５０によって押圧され貼付される。
【００３３】
前記フレームＦの面内において、前記帯状シートＳの繰出方向上流側の所定位置、本実施形態ではフレームＦの上部右側コーナー近傍位置には、当該帯状シートＳの導入部５３と、二つのガイドローラ５４、５５が配置されている。導入部５３はフレームＦに回転不能に支持された軸５８、５７Ａと、当該軸５７Ａに回転可能に設けられたスポンジローラ５７Ｂとからなり、スポンジローラ５７Ｂと軸５８とで間を通過する帯状シートＳを挟み込み当該帯状シートＳに繰出抵抗を付与して当該帯状シートＳの張力を一定に保つようになっている。
【００３４】
前記駆動手段１３は、前記フレームＦの図１中後面側に配置されたモータＭ２と、このモータＭ２の出力軸に連結されて前記フレームＦの前面側に位置する駆動ローラ６１と、当該駆動ローラ６１の外周面との間に剥離シートＲＬを挟み込むピンチローラ６２とにより構成されている。
【００３５】
前記巻取手段１４は、前記フレームＦの図１中後面側に配置されたモータＭ３と、このモータＭ３の出力軸に連結されて前記フレームＦの前面側に位置する巻取ローラ６４とからなる。
【００３６】
本実施形態では、前記軸部材１５にロールＲを支持した状態で、当該ロールＲの外周と前記導入部５３との間に、捻れ補正手段としてのバッファ領域Ａが形成されている。このバッファ領域Ａは、軸部材１５に支持されたロールＲから繰り出された帯状シートＳの一定長さを自重によって下方に撓ませて余長を確保するものである。そして、ラベルＬの連続的な貼付に対応可能にするとともに、前記帯状シートＳの捻れを補正して前記導入部５３側に導くものである。そのため、バッファ領域Ａの下部側には、一定長さの余長を検出するための一対のセンサ６６、６７が前記フレームＦから突出するアーム６８に支持されている。
【００３７】
次に、本実施形態におけるラベル貼付方法について説明する。
【００３８】
ロールＲをロール支持装置１１に支持させる場合には、支持対象となるロールＲの直径に応じて、前記シャフト４３の突出量を予め設定し、軸部材１５のナット部材１９を後退させ、カラー１８の軸径が紙管Ｐの内径以下となるように調整しておく。そして、角度変位手段４６を介して軸部材１５の軸線を略水平位置となるように制御する。これは、ラベルロールのような巻き崩れを起しやすいロール状体を対象とした場合、当該ロールの外周側を手に持って傾斜させると、その中心部側から巻き崩れが起きるためである。
【００３９】
次いで、ロールＲが円板２８に突き当たるまで紙管Ｐ内に軸部材１５を挿通する。この挿通後、前記角度変位手段４６を所定動作させて軸部材１５の先端側が基端側よりも垂直方向上方位置となるように傾斜姿勢に角度変位させる。そして、軸本体１７に対してナット部材１９をねじ込み、カラー１８を拡径変位させて当該カラー１８の外周面で紙管Ｐの内周面を圧接することで、ロールＲの支持を完了する。
【００４０】
このようにしてロールＲの支持が完了した後は、当該ロールＲから帯状シートＳを引き出し、導入部５３、ガイドローラ５４、５５を経てピールプレート４８に掛け回し、駆動ローラ６１とピンチローラ６２とで挟み込み、そのリード端を巻取ローラ６４に固定する。
【００４１】
帯状シートＳの掛け回しが完了すると、図示しない操作機器の自動貼付スイッチをＯＮすることによって、モータＭ１が駆動し、前記バッファ領域Ａのセンサ６６、６７が帯状シートＳを検出するまで繰り出すとともに、モータＭ２、Ｍ３が駆動し、ピールプレート４８の所定位置にラベルＬが停止した状態でスタンバイ状態となる。
【００４２】
そして、搬送装置５１上を搬送される被着体Ｗを図示しないセンサで検出して、ラベルＬを剥離しつつ貼付動作が開始される。この動作は、モータＭ２の駆動により駆動ローラ６１が回転することで、帯状シートＳに繰出力が付与される一方、モータＭ３の駆動により巻取ローラ６４が回転することで剥離シートＲＬが順次巻き取られる。
【００４３】
帯状シートＳの繰り出しを行うことにより、前記バッファ領域Ａにおけるセンサ６６、６７が帯状シートＳを検出しなくなると、モータＭ１によって軸部材１５が駆動し、常にバッファ領域Ａに帯状シートＳの余長分が確保されるように制御される。
【００４４】
バッファ領域Ａにおける帯状シートＳは、軸部材１５の傾斜姿勢によって捻れた状態で垂れ下がるようになるが、これが導入部５３側に導かれる途中で捻れが補正されるため、帯状シートＳが捻れた状態で繰り出されるようなことはない。また、別途のセンサを設けてロールＲの消費が進んで当該ロールＲの直径が小さくなったことを検出させ、前記シャフト４３の突出長さを縮小する方向に前記スライド機構４４を制御することもできる。これにより、バッファ領域Ａにおける帯状シートＳの垂れ下がり形態が大きく変化することがないように保たれる。
【００４５】
なお、ロールＲの交換を行う場合には、装着作業と逆の手順で行うことができる。
【００４６】
以上のように、本発明を実施するための最良の構成、方法等は、前記記載で開示されているが、本発明は、これに限定されるものではない。
すなわち、本発明は、主に特定の実施形態に関して特に図示、説明されているが、本発明の技術的思想及び目的の範囲から逸脱することなく、以上説明した実施形態に対し、形状、位置若しくは配置等に関し、必要に応じて当業者が様々な変更を加えることができるものである。
【００４７】
例えば、前記実施形態では、ロール支持装置１１がラベル貼付装置１０に適用された場合を図示、説明したが、本発明に係るロール支持装置１１は、凡そ帯状シートをロール状に巻回したロールを繰り出したり、或いは帯状シートをロール状に巻き取ったりする装置一般に適用することができる。この際、帯状シートをロール状に巻き取る装置に適用する場合においても、軸部材に対する巻き取り方向直前位置にバッファ領域を設けることができる。つまり、ラベル貼付装置１０において、ロールＲを使い切らずにロール交換を行う場合は、ピールプレート４８を過ぎた位置で剥離シートＲＬを切断し、モータＭ１によって軸部材１５を繰出方向とは反対の方向に駆動して巻き取るようにしてもよい。更に、導入部５３の軸５８をモータを介して駆動可能とし、センサ６６、６７と連携することによって、帯状シートＳのバッファ領域を形成しつつ、帯状シートの捻れを補正し巻き取ることもできる。
【００４８】
また、軸部材１９は上下又は左右方向に移動可能に設けることもできる。この場合、前記シャフト４３が挿通されるホルダ４１と、プレート３８との間にエアシリンダ等の駆動装置を介在させること等が例示できる。
【００４９】
更に、前記ラベル貼付手段１２は、プレスローラ５０によってラベルＬを被着体Ｗに押圧する構成としたが、当該ラベルを吸着する保持面を備えたバキュームグリッド等、その他の押圧手段に代替することを妨げない。
【００５０】
また、巻き崩れ防止手段を構成する円板２８に代えて、軸本体１７から放射方向に向けられた複数のアーム等を採用することもできる。
【００５１】
更に、捻れ防止手段としては、例えば、前記導入部５３とロールＲとの間の下方にガイドローラを配置し、当該ガイドローラに帯状シートＳを掛け回すことで捻れを防止するようにしてもよい。
【図面の簡単な説明】
【００５２】
【図１】ロール支持装置を備えたラベル貼付装置の概略正面図。
【図２】前記ラベル貼付装置の概略斜視図。
【図３】前記ロール支持装置の一部断面図。
【図４】軸部材を分解した拡大断面図。
【符号の説明】
【００５３】
１０  ラベル貼付装置
１１  ロール支持装置
１２  ラベル貼付手段
１３  駆動手段
１５  軸部材
１６  支持手段
２８  円板（巻き崩れ防止手段）
５３  導入部
Ａ  バッファ領域（捻れ補正手段）
Ｌ  ラベル
Ｒ  ロール
ＲＬ  剥離シート
Ｓ  帯状シート
【図１】
2008189432.tif 000003
【図２】
2008189432.tif 000004
【図３】
2008189432.tif 000005
【図４】
2008189432.tif 000006